(57)【要約】【課題】  アイロン本体上に突起を形成するハンドルを含むアイロンを提供すること。【解決手段】  あて面（１）の上に載る本体と、アイロン本体上に突起を形成するハンドル（３）を含むアイロンにおいて、前記本体（２）がハンドル（３）の基部に向かって収束する壁（２１）を含み、ハンドル（３）が、手の平の支承面を形成する上面（３１）と、ハンドル（３）の上面（３１）からアイロン本体（２）の壁（２１）まで延びる側面壁を備え、前記側面壁が、指の端部を受けるための把握部位（３２ａ）を含み、前記アイロンが、ハンドル（３）の把握部位（３２ａ）の下で横方向に突出する指の保護用のつば（４）を含み、前記つば（４）が、手の指がアイロン本体（２）の高温壁（２１）に触れるようになるのを防止する手の指用のストッパの役割を果たすアイロンであって、動作時、つば（４）の下に配置された壁（２１）の部分の最高温度が５５℃を超えないように、つばがあて面（１）と離間して配置されることを特徴とするアイロン。【選択図】  図２
2006000654.tif 000002
【特許請求の範囲】
【請求項１】
あて面（１）の上に載る本体（２）と、アイロン本体（２）上に突起を形成するハンドル（３）を含むアイロンにおいて、前記本体（２）がハンドル（３）の基部に向かって収束する壁（２１）を含み、ハンドル（３）が、手の平の支承面を形成する上面（３１）と、ハンドル（３）の上面（３１）からアイロン本体（２）の壁（２１）まで延びる側面壁（３２）を備え、前記側面壁（３２）が、指の端部を受けるための把握部位（３２ａ）を含み、前記アイロンが、ハンドル（３）の把握部位（３２ａ）の下で横方向に突出する指の保護用のつば（４）を含み、前記つば（４）が、手の指がアイロン本体（２）の高温壁（２１）に触れるようになるのを防止する手の指用のストッパの役割を果たすアイロンであって、動作時、つば（４）の下に配置された壁（２１）の部分の最高温度が５５℃を超えないように、つばはあて面（１）と離間して配置されることを特徴とするアイロン。
【請求項２】
つば（４）は断熱フォームを内蔵することを特徴とする請求項１に記載のアイロン。
【請求項３】
前記つばはハンドル（３）とアイロン本体（２）の接合部に位置することを特徴とする請求項１から２のいずれか一項に記載のアイロン。
【請求項４】
アイロン本体（２）は、基部があて面（１）の輪郭に合わせられ天頂部が前記つば（４）を形成する広口部を有するようなドーム状を成し、この本体（２）広口部を有する天頂部の幅は基部におけるハンドル（３）の幅よりも大きいことを特徴とする請求項３に記載のアイロン。
【請求項５】
前記つば（４）は、ハンドル（３）の側面壁（３２）の表面から少なくとも５ｍｍ横方向に飛び出していることを特徴とする請求項１から４のいずれか一項に記載のアイロン。
【請求項６】
側面壁（３２）同士はほぼ平行であるか把握部位（３２ａ）のレベルでわずかに接近し、前記把握部位（３２ａ）のレベルにおけるハンドル（３）の幅は５ｃｍよりも大きいことを特徴とする請求項１から５のいずれか一項に記載のアイロン。
【請求項７】
上面（３１）の幅は６ｃｍを超えること、および把握部位は前記側面壁（３２）上に補強部（３２ａ）を画定することを特徴とする請求項１から６のいずれか一項に記載のアイロン。
【請求項８】
ハンドル（３）の長さ／幅比は１．４から２．３までの間、好ましくは１．７から２までの間であることを特徴とする請求項１から７のいずれか一項に記載のアイロン。
【請求項９】
ハンドルの側面壁（３２）は３ｃｍを超える高さで延びていることを特徴とする請求項１から８のいずれか一項に記載のアイロン。
【発明の詳細な説明】
【技術分野】
【０００１】
本発明は、アイロン本体上に突起を形成するハンドルを含み、アイロンの壁部がハンドルの基部に向かって収束するアイロンに関し、より詳細には、そのようなアイロンの取り扱い時のやけどの危険性を制限するための手段に関する。
【背景技術】
【０００２】
特許文献１から、アイロン本体上に突起を形成する半楕円形ハンドルを含み、ハンドルとアイロン本体との間に空間が生じることなく、アイロンの壁部がハンドルの基部に向かって収束するアイロンが知られている。アイロン本体上にあって一塊形状をなし比較的大きいそのようなハンドルは、手の平がハンドルの頂上部に載り、ハンドルの基部に位置する補強部において指がハンドルの前部を締めるようになるので、様々な方向でのハンドルの把握が可能になるという利点を有する。しかしながら、そのような一塊形状をなすハンドルは、アイロン本体の高温壁に手の指の先端を接近させてしまうという欠点を有し、そのため、ハンドルの把握方法を様々に変更する時に、あて面に近いアイロンの高温部位に指が触れることによる偶発的なやけどの危険性が高まるが、この問題はユーザの手が大きければ大きいほど重大になる。
【０００３】
【特許文献１】独国特許出願公開第２７１２８０５号明細書
【発明の開示】
【発明が解決しようとする課題】
【０００４】
したがって本発明の一目的は、アイロン本体上に突起を形成する一塊形状のハンドルを含み、ユーザがアイロンを操作するためにハンドルを把握する際、アイロン本体の高温な壁部方向への指の動きを制限する手段を備えたアイロンを提供することにより、これらの欠点を解消することである。
【課題を解決するための手段】
【０００５】
したがって、本発明は、あて面の上に載る本体と、アイロン本体上に突起を形成するハンドルを含むアイロンにおいて、本体がハンドルの基部に向かって収束する壁を含み、ハンドルが、手の平の支承面を形成する上面と、ハンドルの上面からアイロン本体の壁まで延びる側面壁を備え、側面壁が、指の端部を受けるための把握部位を含むアイロンであって、アイロンが、ハンドルの把握部位の下で横方向に突出する指の保護用のつばを含み、つばが、手の指がアイロン本体の高温壁に触れるようになるのを防止する手の指用のストッパの役割を果たすことを特徴とするアイロンを対象とする。
【０００６】
そのようなハンドルは、特に手が大きいユーザの場合に、指のやけどの危険性を制限するという利点を有する。
【０００７】
本発明によるアイロンの別の特徴によれば、保護用のつばはハンドルとアイロン本体の接合部に位置する。
【０００８】
そのような特徴により保護用のつばはフィンガーレストの役割も果たすので、指は固定され、アイロンのユーザにとって人間工学性が向上する。
【０００９】
本発明によるアイロンの別の特徴によれば、アイロン本体は、基部があて面の輪郭に合わせられ天頂部が指の保護用のつばを形成する広口部（フレア部）を有するようなドーム状を成し、この本体の広口部を有する天頂部の幅は、基部におけるハンドルの幅よりも大きい。
【００１０】
そのような特徴により保護用つばをアイロンの外形（輪郭）の中に完全に組み込むことが可能である。
【００１１】
別の特徴によれば、保護用つばは、ハンドルの側面壁の表面から少なくとも５ｍｍ横方向に飛び出している。
【００１２】
そのような特徴は、保護用つばに指を良好に固定することができるという利点を有する。
【００１３】
さらに別の特徴によれば、側面壁同士はほぼ平行であるか把握部位のレベルでわずかに接近し、前記把握部位のレベルにおけるハンドルの幅は５ｃｍよりも大きい。
【００１４】
そのような特徴により、閉じすぎてひきつりを起こす手の指の位置を防止する、より人間工学性が高いハンドルを得ることが可能である。
【００１５】
別の個別の実施形態によれば、本発明によるアイロンは、個別に選択した組み合せのうちの１つまたは複数を含むことができ、また技術的に可能なあらゆる組み合せを含むことができる：
−  上面の幅が６ｃｍを超えること、および把握部位が側面壁上に補強部を画定する。
−  ハンドルの長さ／幅比が１．４から２．３までの間、好ましくは１．７から２までの間である。
−  ハンドルの側面壁が３ｃｍを超える高さで延びている。
【００１６】
本発明の目的、態様、および利点は、添付の図面を参照して非限定的な例示として行う本発明の個別の実施形態についての説明により、より良く理解することができよう。
【発明を実施するための最良の形態】
【００１７】
本発明の理解に必要な要素のみを図示した。図面を読むのを容易にするために、図が異なっても同じ要素は同じ参照番号を有することにする。
【００１８】
図１から図５は、本体２と、あて面１の中央のほぼ上方に配置されたハンドル３とが載せられた加熱あて面１を含むスチームアイロンを示す図である。
【００１９】
あて面１はほぼ平面であり、複数の方向への効率的なアイロンがけを可能にする３つの尖端をもった特別な形状を有する。
【００２０】
アイロン本体２は、ハンドル３の方向に収束する壁部２１を含むため、本体２は、基部があて面１の輪郭に合わせられ、天頂部が、ハンドル３を支承すると共に頭部が欠けた広口状の部分を有するドーム状を成し、ハンドルは、アイロン本体２上に突起を形成する。
【００２１】
ハンドル３は、丸い小石に似た一体成形の一般的な形を呈し、アイロンの前部に向かって若干傾斜した凸形の上面３１を含む。上面３１は、有利には、６ｃｍから９ｃｍの間、好ましくは７ｃｍ程度の幅と、１０ｃｍ超、好ましくは１３ｃｍ程度の長さを有する。
【００２２】
上面３１は２つの側面壁３２および前面壁３３によりアイロン本体２の方向に延び、有利には、側面壁３２および前面壁３３は４ｃｍ程度の高さを成す。
【００２３】
図１から図４でより良くわかるように、側面壁３２は、ハンドル３の前面壁３３の近傍で始まる凹形補強部３２ａを備え、前記補強部３２ａは、ハンドルの後方に向かって側面壁３２の長さのほぼ７０％にわたって延びる。これらの補強部３２ａは上面３１の側面側縁部の近傍から垂直方向に向かって始まり、側面壁３２のほぼ全高にわたって延びる。
【００２４】
補強部３２ａのレベルにおけるハンドルの幅は５ｃｍよりも大きく、その結果、手の指、特に親指、ならびに小指および／または薬指の端部がこれらの補強部の上に収まるので、手が閉じたような位置は発生しない。
【００２５】
より詳細には、本発明によれば、ハンドル３は、その基部のレベルにおいて、アイロン本体２の広口状天頂部の幅よりも小さな幅を有し、その結果、ハンドル３の両側につば４を形成する縁部が形成される。好ましくは、つば４はハンドルの側面３２から横方向に少なくとも５ｍｍ突出し、ハンドル３のほぼ全長にわたって長手方向に延びる。
【００２６】
有利には、つば４の内体積は断熱フォームを内蔵することができ、つば４は、動作時、つばの下に配置された壁２１の部分の最高温度が５５℃を超えないよう、加熱あて面１から離れたところに配置される。
【００２７】
手の平がハンドル３に掛かっている時には、これらのつば４は手の指のストッパの役割を果たし、指が誤ってアイロン本体２の高温壁２１に触れるのを防止する。
【００２８】
このようにして作製されるアイロンは、より高い人間工学性、およびやけどの危険性に対しより高い安全性をもたらすハンドルを含むという利点を有する。ハンドルの基部に配置されたつばは、指の方向への熱の放射を制限するとともに、ユーザがハンドルを把握する際のアイロン本体の方向への指の動きを阻止するのにも用いられる。
【００２９】
もちろん本発明は、専ら例として説明および図示した実施形態に限定されるものではない。特に、種々の要素の構成の観点から、または技術的均等物による置き換えにより、本発明の保護の範囲から逸脱することなく変更が可能である。
【００３０】
図示する実施形態においては、ハンドルの基部に配置されたつばは視覚的にアイロン本体内に組み込まれる。しかしながら別の実施形態においては、指に対するストッパとなるつばは、ハンドル、またはアイロン本体の上部によって支承される突起状フィンにより作製することができる。
【００３１】
図示しない実施形態の変形においては、保護用つばは、熱伝導係数がきわめて低い特殊材料で成形することができる。別の実施の変形形態では、はめ込みのつばとアイロン本体の間に断熱材料も挿入することができる。
【図面の簡単な説明】
【００３２】
【図１】本発明の個別の実施例によるアイロンの斜視図である。
【図２】図１のアイロンの正面図である。
【図３】図１のアイロンの後面図である。
【図４】図１のアイロンの側面図である。
【図５】図１のアイロンの上面図である。
【図１】
2006000654.tif 000003
【図２】
2006000654.tif 000004
【図３】
2006000654.tif 000005
【図４】
2006000654.tif 000006
【図５】
2006000654.tif 000007